(57)【要約】【課題】  ユーザが使用する映像表示装置に映像が表示される際に、映像表示装置周辺の照明環境の特性を獲得して記録することのできる映像表示装置周辺の照明特性データの生成方法を提供することを課題とする。【解決手段】  照明特性データを、照明光の色温度値及び照明光の色度座標系の座標値のうち少なくとも一つを含む照明光種類情報を表すタイプブロックで生成する段階と、照明特性データを、ルクス単位で表現される数値的輝度値に該当する照明光の輝度情報を表す輝度ブロックに生成する段階とを含むことにより上記課題を解決する。【選択図】      図１
2007271626.tif 000002
【特許請求の範囲】
【請求項１】
照明特性データを、照明光の色温度値及び照明光の色度座標系の座標値のうち少なくとも一つを含む照明光種類情報を表すタイプブロックで生成する段階と、
照明特性 データを、ルクス単位で表現される数値的輝度値に該当する照明光の輝度情報を表す輝度ブロックに生成する段階と
を含むことを特徴とする映像表示装置周辺の照明特性データ生成方法。
【請求項２】
照明特性を、照明光の色温度値及び照明光の色度座標系の座標値のうち少なくとも一つを含む照明光種類情報で表す段階と、
照明特性を、ルクス単位で表現される数値的輝度値に該当する照明光の輝度情報で表す段階と、
前記照明光種類情報と照明光の輝度情報をデータフォーマットに生成する段階と
を含むことを特徴とする映像表示装置周辺の照明特性データ生成方法。
【請求項３】
照明特性データを、照明光の色温度値及び照明光の色度座標系の座標値のうち少なくとも一つを含む照明光種類情報を表すタイプブロック及びルクス単位で表現される数値的輝度値に該当する照明光の輝度情報を表す輝度ブロックよりなるデータフォーマットで生成する段階を含むことを特徴とする映像表示装置周辺の照明特性データ生成方法。
【請求項４】
映像表示装置周辺の照明特性データを、ユーザインターフェースを通じてユーザから獲得する段階と、
前記獲得した照明特性データを、照明光の色温度値及び照明光の色度座標系の座標値のうち少なくとも一つを含む照明光種類情報を表すタイプブロック及びルクス単位で表現される数値的輝度値に該当する照明光の輝度情報を表す輝度ブロックよりなるデータフォーマットに生成する段階と、
を含むことを特徴とする映像表示装置周辺の照明特性データ生成方法。
【請求項５】
映像表示装置周辺の照明特性データを、計測センサーにより獲得する段階と、
前記獲得した照明特性データを、照明光の色温度値及び照明光の色度座標系の座標値のうち少なくとも一つを含む照明光種類情報を表すタイプブロック及びルクス単位で表現される数値的輝度値に該当する照明光の輝度情報を表す輝度ブロックで構成されるデータフォーマットに生成する段階と
を含むことを特徴とする映像表示装置周辺の照明特性データ生成方法。
【発明の詳細な説明】
【技術分野】
【０００１】
本発明は映像処理に関するものであり、特に映像表示装置周辺の照明特性データ生成方法に関する。
【背景技術】
【０００２】
従来のカラーイメージ再生方法にはカラー入出力機器の特性化に基づいた機器独立的色処理方法がある。これはカラー入出力機器の機器色信号と標準色信号間の関係を設定する機器特性化方法に基づいている。この方法を利用する場合、入力されたイメージとディスプレイされたイメージ間の測色的な色の一致を達成できる。
【０００３】
このように映像表示装置に表示される映像のカラー特性を最初に入力された映像のカラー特性と測色的に一致させるか表示される映像のカラー特性を視感的に向上させる方法は多く存在する。
【０００４】
しかし、このような方法は、映像表示装置周辺の照明光による影響を考慮していないため、映像表示装置が位置する場所の照明特性が変わると、当初意図された測色的一致や視感的向上が達成されない場合がある。
【０００５】
従来、ユーザが使用する映像表示装置の種類や使用場所はほぼ限定されていたが、有線／無線ネットワークの発達につれて、装置の種類及び使用場所が多様化する傾向にある。
【０００６】
ここで、映像表示装置が補償変換機能を実行できない場合、映像を表示装置に供給するサービス端末側であらかじめ映像を変換（補償）した後に、表示装置に伝達しなければならない。
【０００７】
この際、変換されて入力される照明特性情報が映像供給装置に伝達される必要があるが、伝達される照明特性情報は、ＸＭＬのような汎用のデータ構造で表示可能なものが望ましい。
【発明の開示】
【発明が解決しようとする課題】
【０００８】
本発明が解決しようとする技術的課題は、ユーザが使用する映像表示装置に映像が表示される際に、映像表示装置周辺の照明環境の特性を獲得して記録することのできる映像表示装置周辺の照明特性データの生成方法を提供することである。
【課題を解決するための手段】
【０００９】
本発明に係る映像表示装置周辺の照明特性データの生成方法は、照明特性データを、照明光の色温度値及び照明光の色度座標系の座標値のうち少なくとも一つを含む照明光種類情報を表すタイプブロックで生成する段階と、照明特性
データを、ルクス単位で表現される数値的輝度値に該当する照明光の輝度情報を表す輝度ブロックに生成する段階とを含むことを特徴とする。
【００１０】
照明特性を、照明光の色温度値及び照明光の色度座標系の座標値のうち少なくとも一つを含む照明光種類情報で表す段階と、照明特性を、ルクス単位で表現される数値的輝度値に該当する照明光の輝度情報で表す段階と、前記照明光種類情報と照明光の輝度情報をデータフォーマットに生成する段階とを含むことが望ましい。
【００１１】
照明特性データを、照明光の色温度値及び照明光の色度座標系の座標値のうち少なくとも一つを含む照明光種類情報を表すタイプブロック及びルクス単位で表現される数値的輝度値に該当する照明光の輝度情報を表す輝度ブロックよりなるデータフォーマットで生成する段階を含むことが望ましい。
【００１２】
映像表示装置周辺の照明特性データを、ユーザインターフェースを通じてユーザから獲得する段階と、前記獲得した照明特性データを、照明光の色温度値及び照明光の色度座標系の座標値のうち少なくとも一つを含む照明光種類情報を表すタイプブロック及びルクス単位で表現される数値的輝度値に該当する照明光の輝度情報を表す輝度ブロックよりなるデータフォーマットに生成する段階と、を含むことが望ましい。
【００１３】
映像表示装置周辺の照明特性データを、計測センサーにより獲得する段階と、前記獲得した照明特性データを、照明光の色温度値及び照明光の色度座標系の座標値のうち少なくとも一つを含む照明光種類情報を表すタイプブロック及びルクス単位で表現される数値的輝度値に該当する照明光の輝度情報を表す輝度ブロックで構成されるデータフォーマットに生成する段階とを含むことが望ましい。
【発明の効果】
【００１４】
本発明による、映像表示装置周辺の照明特性データの生成方法によって生成された照明特性データを入力として、照明の影響による出力映像の視感的色変移を補償する変換を施行することによって、最初の入力映像の色特性を映像表示装置に出力される映像に再現できる。また、本発明による照明特性情報の記録のためのデータ構造はＸＭＬ、２進列など汎用の互換性のあるデータ形態に表現できる。
【００１５】
したがって、多様な映像表示装置、映像表示ソフトウェア、ユーザ装置に映像を有／無線に供給するサービスシステムで照明影響に対する色変移補償変換を行うのに広範囲に使われ、特に映像を視聴するユーザの物理的環境特性に適した映像を発生させるのに共通的に利用される。
【発明を実施するための最良の形態】
【００１６】
以下、添付した図面を参照して本発明に係る映像表示装置周辺の照明特性データの生成装置及びその方法について詳細に説明する。図１は本発明に係る照明特性データの生成装置の構成を示したブロック図である。図２は本発明に係る照明特性データの生成方法を示したフローチャートである。
【００１７】
照明特性データの生成装置は、照明特性獲得部１００と照明特性データ生成部１５０とを含んで構成される。
【００１８】
照明特性獲得部１００は、ユーザインターフェース部１０と計測センサー２０とのうちの、少なくとも一つを含んで構成される。
【００１９】
この照明特性獲得部１００は、映像表示装置周辺の照明特性データを取得するものである（２００段階）。
【００２０】
ユーザインターフェース部１０は、照明特性データを、ユーザからインターフェースを介して直接取得するものである。
【００２１】
計測センサー２０は、映像表示装置に取り付けられた若しくは映像表示装置の周囲に配置されたラジオメーター（計測センサー）を介して、照明特性データを取得するものである。
【００２２】
ここで、ユーザインターフェース部１０が取得する照明特性データには、照明の輝度（照度）や種類に関する情報が含まれている。
【００２３】
照明の種類に関する情報とは、「白熱灯」、「蛍光灯」、「日光」、そして「天空光」のうちの一つに関するものである。
【００２４】
照明の輝度に関する情報とは、「暗い」、「薄暗い」、「明るい」、そして「非常に明るい」のうちの一つに関するものである。
【００２５】
計測センサー２０が取得する照明特性データには、照明の種類や、輝度（照度）に関する情報が含まれている。
【００２６】
照明の種類に関する情報には、照明の色温度値と、照明の色度座標系の座標値のうちの、少なくとも一つが含まれている。
【００２７】
色温度値とは、照明の色温度に関するものであり、ＩＳＯ／ＩＥＣ １５９３８−３で規定される色温度表現記述子のデータ表現形式に従って、８ビットで表示できるものである。
【００２８】
色度座標系の座標値とは、照明のｘ−ｙ色度座標系における座標値をいい、（ｘ，ｙ）で表示されるものである。ここで、ｘ−ｙ色度座標系には、ＣＩＥ１９３１
三刺激値座標モデルから定義される２色度座標系を使用することが可能である。
【００２９】
照明の輝度（照度）に関する情報は、光の強さを示す単位であるルクス（Ｌｕｘ）の値として、表現されることが望ましい。
【００３０】
照明特性獲得部１００は、取得した照明特性データを出力する、又は計測センサー２０が取得した照明特性データを、照明の輝度（照度）や種類に関する情報を含む照明特性データに変換するものである。
【００３１】
ここで、照明の種類に関する情報には、照明の色温度値と照明の色度座標系の座標値のうちの、少なくともひとつが含まれている。そして、照明特性獲得部１００は、変換により得られた照明特性データを出力する。
【００３２】
また、照明特性獲得部１００は、ユーザインターフェース部１０が取得した照明特性データを、照明の輝度（照度）や種類に関する情報含む照明特性データに変換する構成とすることも可能である。
【００３３】
ここで、照明の種類に関する情報とは、「白熱灯」、「蛍光灯」、「日光」、そして「天空光」のうちの一つに関するものである。
【００３４】
照明の輝度に関する情報とは、「暗い」、「薄暗い」、「明るい」、そして「非常に明るい」のうち一つに関するものである。
【００３５】
そして、照明特性獲得部１００は、変換して得られた照明特性データを出力する。
【００３６】
尚、照明特性データの変換は、図８のようなマッピングテーブルを利用して実現可能である。
【００３７】
また、色温度値及び色度座標系の座標値は、色度座標系に描かれる日光ローカス曲線（ｄａｙｌｉｇｈｔ  ｌｏｃｕｓ）を利用して変換することができる。
【００３８】
計測センサー２０から出力される信号から、照明光の色温度や色度座標情報を取得する方法には様々なものがある。
【００３９】
例えば、計測センサー２０が複数の画素についてのＲＧＢ値を含む信号を出力する場合、ＲＧＢ座標値から、画素の平均ＲＧＢ値と、ｘ−ｙ色度座標系における座標（ｘ，ｙ）または色温度を計算するために、照明成分に該当する画素を推定、または選定する。
【００４０】
また、計測センサー２０が、単一の画素についてのＲＧＢ値を含む信号を出力する場合、ｘ−ｙ色度座標系における座標（ｘ，ｙ）または色温度を、ＲＧＢ座標値から直接計算することができる。
【００４１】
照明特性データ生成部１５０は、ユーザインターフェース部１０または計測センサー２０から入力された照明特性データを、照明（照明光）の種類に関する情報を表すタイプブロックと、照明光の輝度に関する情報を表す輝度ブロックとから構成されるデータ形式に変換する（２５０段階）。
【００４２】
図３は本発明に係る照明特性データの形式（フォーマット）を示した概念図である。図３に示すように、照明特性データの形式（フォーマット）は、タイプブロック３００と輝度ブロック３５０とから構成される。
【００４３】
タイプブロック３００は、フラグ３１０とタイプペイロード３２０とを含んで構成される。
【００４４】
フラグ３１０は、タイプペイロード３２０内のデータが、色温度値３２２と色度座標値３２４のうちの何れであるかを示す情報である。
【００４５】
尚、フラグ３１０は、タイプペイロード３２０内のデータが、照明の種類を示す意味的情報（テキスト情報）３２６であることを示す情報を含む構成とすることも可能である。
【００４６】
この場合、意味的情報は、「白熱灯」、「蛍光灯」、「日光」、「天空光」のうちいずれか一つを表す情報であることが望ましい。
【００４７】
本実施の形態の場合、フラグ３１０は「０」、「１」、「２」、「３」の値を取ることができる。
【００４８】
ここで、フラグが「０」である場合、タイプペイロード３２０内のデータが色温度値３２２であることを表す。このデータは、ＩＳＯ／ＩＥＣ
１５９３８−３で規定する色温度表現記述子のデータ表現によって８ビットで量子化して表現できる。
【００４９】
フラグ３１０が「１」である場合、タイプペイロード３２０内のデータが色度座標値３２４であることを表す。なお、座標値は［０，１］の範囲である。座標値は、ＩＳＯ／ＩＥＣ  １５９３８−５で規定したＭＰＥＧ７：ＺｅｒｏＴｏＯｎｅＴｙｐｅに該当するビットで表現できる。
【００５０】
フラグ３１０が「２」である場合、タイプペイロード３２０内のデータが意味的情報３２６であることを表す。
【００５１】
ここで、本実施の形態では、意味的情報３２６の値が「０」である場合は「白熱灯」を、「１」である場合は「蛍光灯」を、「２」である場合は「日光」を、「３」である場合は「天空光」を示すものとする。
【００５２】
輝度ブロック３５０は。ルクス（Ｌｕｘ）単位の値を表すデータを含むものである。
【００５３】
しかし、この輝度ブロック３５０は、フラグ３６０と輝度ペイロード３７０とを含んで構成することも可能である。
【００５４】
この場合、フラグ３６０は、輝度ペイロード３７０内のデータが数値的値３７２であるか意味的値３７４であるかを示すものである。
【００５５】
ここで、フラグ３６０が数値的値３７２であることを示す場合、輝度ペイロード３７０は、ルクス単位の値である数値的値３７２を含むことになる。
【００５６】
また、フラグ３６０が、意味的値３７４であることを示す場合、輝度ペイロード３７０は、「暗い」、「薄暗い」、「明るい」、「非常に明るい」のうちいずれか一つを示すデータを含むことになる。
【００５７】
本実施の形態では、フラグ３６０の値が「０」である場合、輝度ペイロード３７０内のデータがルクス単位の値である数値的値３７２であることを表す。
【００５８】
ここで、数値的値３７２は、Ｗ３Ｃ Ｒｅｃｏｍｍｅｎｄａｔｉｏｎ  ０２−Ｍａｙ−２００１で規定されたＸＭＬスキーマ（ＸＭＬ  ｓｃｈｅｍａ）に準拠する、ｎｏｎＮｅｇａｔｉｖｅＩｎｔｅｇｅｒデータ形式に対応するデータ形式で表すことができる。
【００５９】
フラグ３６０の値が「１」である場合、輝度ペイロード３７０内のデータが意味的値３７４であることを示す。
【００６０】
そして、本実施の形態では、意味的値３７４が「０」である場合は「暗い」を、意味的値３７２が「１」である場合は「薄暗い」を、意味的値３７４が「２」である場合は「明るい」を、そして意味的値３７４が「３」である場合は「非常に明るい」を示すものとする。
【００６１】
照明特性データ生成部１５０で生成される照明特性データは、図９のようなＸＭＬスキーマに従うＸＭＬデータとして表現することが可能である。
【００６２】
この図９において、「ＩｌｌｕｍｉｎａｔｉｏｎＣｈａｒａｃｔｅｒｉｓｔｉｘｓＴｙｐｅ」は、自然環境の全体の照明特性を記述したものである。
【００６３】
「ＴｙｐｅＯｆＩｌｌｕｍｉｎａｔｉｏｎ」は、全体照明の種類を記述するものである。
【００６４】
「ＣｏｌｏｒＴｅｍｐｅｒａｔｕｒｅ」は、全体照明の相関色温度を示すものである。
【００６５】
これらの値の表現はＩＳＯ／ＥＣＥ １５９３８−３に規定されたように非均一方式で［１６６７，２５０００］の範囲を８ビットで量子化することによって得られる。
【００６６】
「Ｃｈｒｏｍａｔｉｃｉｔｙ」は、全体照明の色度を示す。ここで「ｘ」は色度座標系における全体照明のｘ座標を示し、「ｙ」はｙ座標を示す。そしてその座標値の範囲は［０，１］である。
【００６７】
「Ｉｌｌｕｍｉｎａｎｃｅ」はルクス単位の値で全体照明の輝度を記述するものである。
【００６８】
図１０は、ＩｌｌｕｍｉｎａｔｉｏｎＣｈａｒａｃｔｅｒｉｃｓの使用例を示す図である。
【００６９】
本発明に係る照明特性データは、色変移補償装置の「入力」として使用することが可能である。
【００７０】
そこで、照明の影響により生じた色変移の補償を、前述の照明特性データを用いて行う色変移補償装置及びその方法について説明する。
【００７１】
この色変移補償装置では、照明光の色度及び輝度のといった「入力」に基づいて、映像表示装置に出力される映像の視感的色変移程度（可視変色の程度）を、色度空間の座標（色度座標）で予測する。
【００７２】
そして、予測された座標値を利用して、入力映像に対して変移補償変換を行い、映像を表示装置に表示する。これにより照明光の影響を相殺できるので、入力映像において目的とされる色特性が再現されることになる。
【００７３】
図４は、本発明に係る色変移補償装置の構成を示すブロック図である。この色変位補償装置は、照明特性データ部４５０と、色変移補償部４００とを含んで構成される。そして、本発明が適用される状況に応じて、映像表示部４９０をさらに備える構成とすることも可能である。
【００７４】
照明特性データ部４５０は、前述の照明特性データ生成部１５０に相当するものであり、図５に示すように、照明特性獲得部５００と照明特性データ生成部５５０とを備えて構成される。
【００７５】
この照明特性データ部４５０は、映像表示装置周辺の照明特性データを生成して出力するものである。ここで、照明特性データは、前述したのと同様に、タイプブロックと輝度ブロックとより構成されるデータ形式を有している。
【００７６】
なお、照明特性データが既に取得されている場合には、照明特性データ部４５０は、照明特性データ生成部５５０だけで構成することも可能である。
【００７７】
照明特性獲得部５００は、映像表示装置周辺の照明光の種類及び輝度に関する照明特性データを取得するために、ユーザインターフェース部５０と計測センサー５５のうちの少なくとも一方を備えて構成される。ここで、ユーザインターフェース部５０は、照明特性データを、インターフェースを介してユーザから直接取得するものである。計測センサー５５は、実際の照明特性を感知して照明特性データを取得し、実際の照明特性を数値で求めるものである。
【００７８】
照明特性データ生成部５５０は、取得した照明特性データを、照明光の種類についての情報を示すタイプブロックと、照明光の輝度についての情報を示す輝度ブロックとより構成されるデータ形式に変換する。
【００７９】
このタイプブロックは、フラグとタイプペイロードとから構成される。
【００８０】
フラグは、タイプペイロード内のデータが、色温度値と色度座標系の座標値の何れであるかを示すものである。
【００８１】
フラグが色温度値を示す場合、タイプペイロード内のデータが色温度値であることを意味し、フラグが色度座標系の座標値を示す場合、タイプペイロード内のデータが色度座標系の座標値であることを意味する。
【００８２】
なお、タイプブロックのフラグは、タイプペイロード内のデータが色温度値と、色度座標系の座標値と、照明の種類に関する意味的情報とのうちの何れであるかを示す構成としても良い。
【００８３】
ここで、フラグが意味的情報を示す場合、タイプペイロードは、「白熱灯」、「蛍光灯」、「日光」、「天空光」のうち何れか一つを示すことになる。
【００８４】
輝度ブロックは、照明光の輝度値を示す数値であり、この輝度ブロックは、フラグと輝度ペイロードとから構成される。
【００８５】
ここで、フラグは、輝度ペイロード内のデータが、数値的値であるか意味的値であるかを示すものである。フラグが数値的値を示す場合、輝度ペイロードはルクス単位の数値的値を示すことになる。また、フラグが意味的値を表す場合、輝度ペイロードは「暗い」、「薄暗い」、「明るい」、「非常に明るい」のうちのいずれか一つを示すことになる。
【００８６】
図６に示すように、色変移補償部４００は、照明特性データ分析部６００、色温度変換部６１０、数値変換部６２０、及び色変移調整部６５０を含んで構成される。
【００８７】
色変移補償部４００は、照明特性データ部４５０で生成された照明特性データを分析し、照明特性データに基づいて、入力映像の色変移を補償するものである。
【００８８】
照明特性データ分析部６００は、照明特性データを分析してタイプブロックデータと輝度ブロックデータとにするものである。
【００８９】
色温度変換部６１０は、タイプブロックデータを色温度値に変換するものである。
【００９０】
ここで、タイプブロックデータが（ｘ，ｙ）座標である場合、色温度変換部６１０は、タイプブロックデータを色温度値に変換する。
【００９１】
タイプブロックデータが意味的値である場合、色温度変換部６１０は、図８のマッピングテーブルを使用して、タイプブロックデータを色温度値に変換する。
【００９２】
数値変換部６２０は、輝度ブロックデータが意味的値である場合、図８に図示されたマッピングテーブルを用いて、輝度ブロックデータをルクス値に変換するものである。
【００９３】
輝度ブロックデータが「暗い」のカテゴリである場合、数値変換部６２０は、輝度ブロックデータを、「暗い」のカテゴリにおける上限値に変換する。輝度ブロックデータが「非常に明るい」のカテゴリである場合、数値変換部６２０は、輝度ブロックデータを、「非常に明るい」のカテゴリにおける下限値に変換する。輝度ブロックデータが、これら以外のカテゴリである場合、数値変換部６２０は、輝度ブロックデータを、他のカテゴリにおける中間値に変換する。
【００９４】
色変移調整部６５０は、色温度補償部６０と、色輝度補償部６５とを備えて構成される。
色変移調整部６５０は、照明特性データの色温度及び輝度に対する数値（ルクス）に応じて、入力映像を変換する、若しくは映像表示装置の色温度及び輝度特性を調整するものである。
【００９５】
色温度補償部６０は、照明の色温度値が、現に設定された照明色温度値または映像表示装置の推奨色温度値より高い場合、表示される映像の色温度値が増加するように、入力映像を変換、若しくは映像表示装置の色温度表示特性を調整する。
【００９６】
色温度補償部６０は、照明の色温度値が、現に設定された照明色温度値または映像表示装置の推奨色温度値より低い場合、表示される映像の色温度値が減少するように、入力映像を変換、若しくは映像表示装置の色温度表示特性を調整する。
【００９７】
次に、入力映像の色温度を上昇／低下させる方法の一例を簡略に説明する。
【００９８】
はじめに、基準色温度と、照明によって基準色温度から変位（変化）した変移色温度との間の差を求める。ここで、基準色温度は、映像表示装置の特性を考慮してあらかじめ設定されたものである。
【００９９】
そして、入力映像の色温度と基準色温度との間の差を求める。
【０１００】
求めた差同士の比、すなわち、基準色温度と変位色温度との差（差１）と、入力映像の色温度と基準色温度との差（差２）との比から、目標色温度を決定する。
【０１０１】
続いて、入力映像の色温度を、目標色温度に変換するための色温度変換係数を計算する。
【０１０２】
最終的に出力される出力映像のＲＧＢ画素値を求めるために、色温度変換係数から得られた変換行列を、入力映像の各画素のＲＧＢベクトルで乗算する。
【０１０３】
入力映像の色温度を求める方法の一例として、入力映像において照明成分に該当する画素を決定し、これらの平均ＲＧＢ値を求め、この値に該当する色度座標を計算する。そして、この座標に最も近接する同一色温度曲線上の点を求め、この点の色温度を入力映像の色温度として設定するものがある。
【０１０４】
色輝度補償部６５は、照明のルクス値が現に設定された照明ルクス値または映像表示装置の周囲照明の推奨照明ルクス値より高い場合には、表示される映像の輝度値やコントラスト値が増加するように入力映像を変換、若しくは映像表示装置の輝度特性及びコントラスト特性を調整する。
【０１０５】
一方、色輝度補償部６５は、照明のルクス値が現に設定された照明ルクス値または映像表示装置の周囲照明の推奨照明ルクス値より低い場合には、表示される映像の輝度値やコントラスト値が減少するように入力映像を変換、若しくは映像表示装置の輝度特性及びコントラスト特性を調整する。
【０１０６】
表示される映像の輝度は次のような方法で調整できる。
【０１０７】
まず、ＹＣｂＣｒ色座標のＹ値を、表示される映像の各画素から計算した後、各画素のＹ値を、Ｓ字状関数のようなマッピング関数に入力して新しいＹ’を得る。そして、新しく計算されたＹ’を、元の色座標の値に変換する。
【０１０８】
この他にも既存の他の方法によっても映像輝度の調整が可能である。
【０１０９】
ここで、映像の色温度及び輝度を変化させる場合、輝度を先に変化させた後で色温度を変化させることが望ましい。
【０１１０】
図７は、照明の影響によって生じた色変移の補償を、照明特性データを利用して行う方法、すなわち、色変移補償方法を示したフローチャートである。
【０１１１】
映像表示装置周辺の照明特性データを生成する（７００段階）。この際、照明特性データは、照明特性データ部４５０により生成され、タイプブロック及び輝度ブロックを含んで構成されるデータ形式を有している。
【０１１２】
そして、色変移補償部４００は、照明特性データを分析し、照明の種類及び照明の輝度に基づいて、入力映像に生じた色変移を補償する（７２０段階）。
【０１１３】
そして、色変移の補償がされた映像は、映像表示部４９０により出力される（７４０段階）。
【０１１４】
前述したように、照明特性データの生成方法及びその装置では、映像表示装置周辺の照明特性データが生成され、この照明特性データに基づいて、照明により入力映像に生じた色変移を補償することができる。従って、入力された映像が本来有する色特性を、映像表示装置において表示することができる。
【０１１５】
さらに、照明特性データのデータ構造が、ＸＭＬやバイナリといった汎用データ形式と相性がよいもので実現できる。その結果、様々な種類の映像表示装置、映像処理ソフト、そしてユーザ側端末に有線又は無線で映像を提供するサービス等において照明の影響により生じる色変移の補償に幅広く適用可能となる。
【０１１６】
特に本発明に係るデータ構造は、ユーザのおかれた物理的環境に適応させた映像を生成する際に好適に使用することができる。
【０１１７】
本発明はコンピュータで読取りの可能な記録媒体に、コンピュータ（情報処理機能を有する装置をいずれも含む）が読取ることのできるコード（プログラム）として具現することができる。
【０１１８】
ここで、コンピュータでの読取りが可能な記録媒体には、コンピュータでの読取りか可能なデータが、保存等が行えるあらゆる記録装置が含まれる。このようなものとして例えば、ＲＯＭ、ＲＡＭ、ＣＤ−ＲＯＭ、磁気テープ、フロッピー（登録商標）ディスク、光データ貯蔵装置等が挙げられる。
【０１１９】
本発明は図面に図示された実施例を参考として説明されたが、これは例示的なものにすぎず、当業者であればこれより多様な変形及び均等な他の実施例が可能であるという点を理解できる。したがって、本発明の真の技術的保護範囲は特許請求の範囲の技術的思想により定められねばならない。
【０１２０】
本発明は映像を有／無線に供給するサービスシステム、映像表示装置、映像表示ソフトウェアなど映像処理関連分野に利用される。
【図面の簡単な説明】
【０１２１】
【図１】本発明による照明特性データの生成装置の構成を示すブロック図である。
【図２】本発明による照明特性データの生成方法を示すフローチャートである。
【図３】本発明による照明特性データのフォーマットを示す概念図である。
【図４】本発明による色変移補償装置の構成を示すブロック図である。
【図５】図４の照明特性データ部の構成を示すブロック図である。
【図６】図４の色変移補償部の構成を示すブロック図である。
【図７】本発明による照明特性データの生成装置及び方法によって生成された照明特性データを適用して照明の影響に対して色変移補償を行う色変移補償方法を示すフローチャートである。
【図８】意味的値と数値的値との変換関係を示すマッピングテーブルである。
【図９】照明特性データをＸＭＬデータとして表現した場合の例を示す図である。
【図１０】ＩｌｌｕｍｉｎａｔｉｏｎＣｈａｒａｃｔｅｒｉｃｓの使用例を示す図である。
【符号の説明】
【０１２２】
１０    ユーザインターフェース部
２０  計測センサー
１００  照明特性獲得部
１５０  照明特性データ生成部
【図１】
2007271626.tif 000003
【図２】
2007271626.tif 000004
【図３】
2007271626.tif 000005
【図４】
2007271626.tif 000006
【図５】
2007271626.tif 000007
【図６】
2007271626.tif 000008
【図７】
2007271626.tif 000009
【図８】
2007271626.tif 000010
【図９】
2007271626.tif 000011
【図１０】
2007271626.tif 000012